(57)【要約】【課題】軽量化を図るとともに部品点数を削減して、コストダウンおよび生産性の向上を図ることができる照明器具を提供する。【解決手段】照明器具１０Ａは、被取付部１１に設けられた取付孔１２に取り付けられる器具本体２０を有する。器具本体２０は、被取付部１１の下面に露出する枠状の鍔部２２と、光源３０を取り付ける天板２４と、鍔部２２と光源３０との間に設けられ光源３０から離れる方向に向かうに従って拡径する形状の反射部２３を有する。器具本体２０は、鍔部２２、天板２４および反射部２３を、金属板により一体成形して形成される。また、反射部２３の反射面２３１と反対側には複数のばね取付部２６が設けられ、各ばね取付部２６を連結する連結部４０が、天板２４の裏側を跨いで設けられている。これにより、軽量化を図るとともに部品点数を削減して、コストダウンおよび生産性の向上を図ることができる。【選択図】図１
2015072882.tif 000002
【特許請求の範囲】
【請求項１】
被取付部に取り付けられる器具本体と、
前記器具本体に取り付けられる光源と、を有し、
前記器具本体が、前記被取付部に露出する枠状の鍔部と、前記光源を取り付ける光源取付部と、前記鍔部と前記光源取付部との間に設けられ前記光源から離れる方向に向かうに従って拡径する形状の反射部と、を金属板により一体成形されたものであり、
前記反射部の反射面と反対側に設けられた複数のばね取付部と、
前記光源取付部の裏側を跨いで前記各ばね取付部を連結する連結部と、を有する照明器具。
【請求項２】
請求項１に記載の照明器具において、
前記連結部に電源部を固定した照明器具。
【請求項３】
請求項２に記載の照明器具において、
前記連結部は、前記電源部を収容する電源ボックスの底板の一部である照明器具。
【請求項４】
請求項２に記載の照明器具において、
前記電源部が、前記器具本体と別体で設けられ、電線により前記器具本体に接続された照明器具。
【請求項５】
請求項１ないし請求項４のうちのいずれか１項に記載の照明器具において、
前記光源取付部が、前記反射部の天板における前記光源のＬＥＤ基板に対応する部分を光照射方向に突出させた段部である照明器具。
【請求項６】
請求項５に記載の照明器具において、
前記段部の板厚が、他の箇所の板厚よりも薄い照明器具。
【発明の詳細な説明】
【技術分野】
【０００１】
本発明は、被取付部に設けられている取付孔に埋め込んで用いられる照明器具に関するものである。
【背景技術】
【０００２】
従来、天井等の被取付部に設けられている取付孔に埋め込んで取付け、主に床面等を照明する照明器具が知られている（例えば、特許文献１参照）。
図１６に示すように、特許文献１に記載のＬＥＤ照明器具１００は、天井１０１に設けられている取付孔１０２に取り付けられて下方を照明する。
ＬＥＤ照明器具１００は、外郭ケース１０３を有しており、外郭ケース１０３の中央部には、内部ヒートシンク１０４が設けられている。内部ヒートシンク１０４の下面には、ＬＥＤ素子１０５を有するチップ基板１０６が取り付けられる。チップ基板１０６の下側には、配光制御レンズ１０７が設けられている。
【０００３】
内部ヒートシンク１０４の上側には、ＬＥＤ素子１０５の点灯制御を行う制御回路１０８が設けられている。
外郭ケース１０３の外側には、外郭ケース１０３を取付孔１０２に取り付けるための取付部材１０９およびＬＥＤ素子１０５が発する熱を外部に放出する外部フィン１１１が設けられている。
また、外郭ケース１０３の上側には、蓋部１１０が設けられている。
【先行技術文献】
【特許文献】
【０００４】
【特許文献１】特開２０１２−１１９２３０号公報（第１図）
【発明の概要】
【発明が解決しようとする課題】
【０００５】
しかしながら、前述したような特許文献１に記載の従来の照明器具（ＬＥＤ照明器具１００）においては、アルミダイカストにより外郭ケース１０３を形成しているため、ＬＥＤ照明器具１００の重量が大きくなるという問題がある。
そこで、重量の問題を解決するために、金属板材を用いる照明器具が考えられている。この場合には、本体、枠体、電源装置取付部等を金属板材により別個に形成し、接続するため、部品点数が多くなり、コストアップおよび生産性の低減という問題があった。
【０００６】
本発明は、従来の問題を解決するためになされたもので、軽量化を図るとともに部品点数を削減して、コストダウンおよび生産性の向上を図ることができる照明器具を提供することを目的とする。
【課題を解決するための手段】
【０００７】
本発明の照明器具は、被取付部に取り付けられる器具本体と、前記器具本体に取り付けられる光源と、を有し、前記器具本体が、前記被取付部に露出する枠状の鍔部と、前記光源を取り付ける光源取付部と、前記鍔部と前記光源取付部との間に設けられ前記光源から離れる方向に向かうに従って拡径する形状の反射部と、を金属板により一体成形されたものであり、前記反射部の反射面と反対側に設けられた複数のばね取付部と、前記光源取付部の裏側を跨いで前記各ばね取付部を連結する連結部と、を有するものである。
【０００８】
また、本発明の照明器具は、前記連結部に電源部を固定したものである。
【０００９】
また、本発明の照明器具は、前記連結部は、前記電源部を収容する電源ボックスの底板の一部であるものである。
【００１０】
また、本発明の照明器具は、前記電源部が、前記器具本体と別体で設けられ、電線により前記器具本体に接続されたものである。
【００１１】
また、本発明の照明器具は、前記光源取付部が、前記反射部の天板における前記光源のＬＥＤ基板に対応する部分を光照射方向に突出させた段部であるものである。
【００１２】
さらに、本発明の照明器具は、前記段部の板厚が、他の箇所の板厚よりも薄いものである。
【発明の効果】
【００１３】
本発明では、器具本体は、鍔部、光源取付部、反射部を、金属板により一体成形して形成される。また、反射部の外側には複数のばね取付部が設けられ、各ばね取付部を連結する連結部が、光源取付部の裏側を跨いで設けられている。これにより、軽量化を図るとともに部品点数を削減して、コストダウンおよび生産性の向上を図ることができるという効果を有する照明器具を提供できる。
【図面の簡単な説明】
【００１４】
【図１】本発明に係る第１実施形態の照明器具の斜視図
【図２】図１中ＩＩ−ＩＩ位置の断面図
【図３】本発明に係る第１実施形態の照明器具におけるばね取付部と取付ばねの分解斜視図
【図４】本発明に係る第２実施形態の照明器具を上方から見た斜視図
【図５】本発明に係る第２実施形態の照明器具の分解斜視図
【図６】本発明に係る第３実施形態の照明器具を上方から見た斜視図
【図７】本発明に係る第３実施形態の照明器具を上方から見た平面図
【図８】本発明に係る第４実施形態の照明器具を上方から見た斜視図
【図９】本発明に係る第４実施形態の照明器具の分解斜視図
【図１０】本発明に係る第５実施形態の照明器具の分解斜視図
【図１１】本発明に係る第５実施形態の照明器具における器具本体を切断した斜視図
【図１２】本発明に係る第６実施形態の照明器具の断面図
【図１３】本発明に係る第６実施形態の照明器具における器具本体の一部破断の斜視図
【図１４】本発明に係る第７実施形態の照明器具における器具本体を切断した斜視図
【図１５】本発明に係る第８実施形態の照明器具における器具本体を切断した斜視図
【図１６】従来のダウンライトの断面図
【発明を実施するための形態】
【００１５】
（第１実施形態）
以下、第１実施形態の照明器具について、図面を用いて説明する。
図１および図２に示すように、第１実施形態の照明器具１０Ａは、被取付部である天井１１に設けられている取付孔１２に埋め込んで、主に下方を照明するダウンライトとして用いることができる。
なお、以下の説明においては、光照射方向を「下」とし、光照照射方向と反対側を「上」とする。
【００１６】
照明器具１０Ａは、取付孔１２に取り付けられる器具本体２０と、器具本体２０を取付孔１２に取り付けるための取付ばね５０を有する。ここでは、取付ばね５０は、器具本体２０に対して対称な位置に一対設けられているが、３個以上の取付ばね５０を設けることもできる。
器具本体２０は、取付孔１２に取り付けた際に天井１１の下面に当接して下方に露出する枠状の鍔部２２を有する。鍔部２２は円形状とされ、その外周縁部は、上方へ折曲げて立上部２２１が全周にわたって設けられている。これにより、鍔部２２の強度が増す。
なお、鍔部２２は、円形状以外にも角形状でもよい。
鍔部２２の内周端から内側上方に向かって、後述するＬＥＤユニット（光源）３０から離れる方向（すなわち下方）に向かうに従って拡径する形状の反射部２３が設けられている。反射部２３の反射面２３１の断面は、直線の場合、上に凸の曲線の場合および下に凸の曲線のいずれであってもよい。
反射部２３の上側には、円筒形状の筒部２１が設けられている。筒部２１の上端には、水平な天板（光源取付部）２４が設けられている。
【００１７】
器具本体２０は、１枚の例えばアルミニウム板等の金属板材料から形成される。
すなわち、前述した鍔部２２、反射部２３、筒部２１および天板２４は、１枚の金属板材料から一体成形される。
一体成形の加工法としては、種々のものを用いることができる。
例えば、ブロー成形やプレス成形が可能であるが、これに限るものではない。
ブロー成形は、均一な板厚で一体成形するのに適し、また、金型が一方のみなので低コストの利点がある。
また、プレス成形は、角部が薄くなるおそれがあるが、部位に応じて板厚を変化させることが可能になる。
【００１８】
器具本体２０の天板２４には、下方に一段下がった段部２７が設けられており、段部２７の下面に光源であるＬＥＤユニット３０が取り付けられる。
段部２７は、天板２４においてＬＥＤユニット３０の回路基板（ＬＥＤ基板）３２に対応する部分を、光照射方向（すなわち、下方）に突出させて形成されている。段部２７は、例えば、器具本体２０の天板２４に平行な一対のスリットを設け、中央部を下方へ押し込んで一体的に形成することができる。
段部２７の板厚Ｔ１は、器具本体２０における他の部分、例えば鍔部２２の板厚Ｔ２、反射部２３の板厚Ｔ３および天板２４の板厚Ｔ４の厚さよりも薄く形成されている。
【００１９】
段部２７の下面に設けられているＬＥＤユニット３０は、例えばＣＯＢ（Chip-on-board）タイプのものを用いることができる。
なお、ＬＥＤユニット３０としてはＳＭＤ（Surface Mount Device）タイプでもよい。
ＬＥＤユニット３０は、回路基板３２にＬＥＤチップ３１を実装したものであり、ＬＥＤチップ３１の前方には、リフレクタ３３やレンズ３４等の光学部材が設けられている。
従って、ＬＥＤユニット３０から発せられた照明光は、直接下方に照射されたり、反射部２３の反射面２３１で反射して、下方に照射される。
なお、レンズ３４の形状は、集光するフレネルレンズや、乳白レンズ等を適宜選択すればよい。
【００２０】
なお、ＬＥＤユニット３０としては、交換可能なものや交換不可なものを用いることができる。
ここで、交換可能なものとは、ＬＥＤ自身がユニット形状となり、それ自身で完結しており、本体等に勘合（設置）されて、照明光を発することができるものをいう。このタイプでは、ねじ等で固定し、コネクタを接続して、給電することが可能なものもある。
【００２１】
反射部２３の外側の鍔部２２の上側には、器具本体２０の中心に対して対称な位置に、取付ばね５０を取り付けるためのばね取付部２６が一対設けられている。
図３に示すように、ここでは、ばね取付部２６に矩形の開口２６２を設け、開口２６２の左右両縁端部を外側に突出するようにＬ字形状に折曲げて、一対の支持部２６１が平行にかつ向き合って設けられている。
なお、ばね取付部２６は、取付ばね５０を取り付けるためのものであり、かつ、一体で成形できるものであれば、上述した支持部２６１に限定するものではない。
【００２２】
取付ばね５０は、ばね取付部２６に支持される矩形板状の支持部５１と、支持部５１の下端部から外側上方に向けて折曲げられたばね本体部５２を有する。
矩形状の支持部５１は、上部５１１の幅が下部５１２の幅よりも大きく形成されており、支持部５１の中央部には、コ字形状にスリットが設けられて係止片５１３が設けられている。係止片５１３は、ばね本体部５２と反対方向に少し突出している。
ばね本体部５２は、鍔方向に向けて付勢されている（図２中矢印Ａ参照）。
【００２３】
従って、取付ばね５０の支持部５１をばね取付部２６の一対の支持部２６１の間に上方から下方に向けて挿入すると、支持部５１の幅広の上部５１１が、支持部２６１により係止される。これにより、取付ばね５０は、ばね取付部２６に取り付けられる。
また、支持部５１の係止片５１３の上辺５１４が、ばね取付部２６の開口２６２の上辺２６３に引っ掛かるので、支持部５１がばね取付部２６から脱落するのを防止できる。
【００２４】
図１および図３に示すように、一対のばね取付部２６は、板状部材である連結部４０によって、器具本体２０の天板２４の裏側（上側）を跨いで連結されている。
すなわち、連結部４０は、両端に鉛直方向に形成されたばね取付部２６を有し、ばね取付部２６の上側から器具本体２０の中心に向かって上側に傾斜した傾斜面４１と、両傾斜面４１の上端の間に設けられた水平な連結板４２を有する。
なお、ばね取付部２６および連結部４０の板厚は、取付ばね５０の板厚よりも厚いものとなっている。
これにより、取付ばね５０からの応力による、ばね取付部２６や連結部４０の変形を防止できる。
【００２５】
ばね取付部２６および傾斜面４１には、幅方向両端部に平板状を保持するための補強用のリブ４３が設けられている。
連結板４２の下面には、下方に突出する台部４２１（図２参照）が折曲げ形成されており、連結板４２と器具本体２０の筒部２１の天板２４との間に隙間を設けて、離れて固定される。これにより、電源部６０が発した熱が、ＬＥＤユニット３０に伝達されるのを防止している。
【００２６】
照明器具１０Ａの作用効果について説明する。
照明器具１０Ａは、天井１１に設けられた取付孔１２に取り付けられる器具本体２０を有する。器具本体２０は、天井１１の下面に露出する枠状の鍔部２２と、ＬＥＤユニット３０を取り付ける天板２４と、鍔部２２とＬＥＤユニット３０との間に設けられＬＥＤユニット３０から離れる方向に向かうに従って拡径する形状の反射部２３を有する。器具本体２０は、鍔部２２、天板２４および反射部２３を、金属板により一体成形して形成される。
また、反射部２３の反射面２３１と反対側には複数のばね取付部２６が設けられ、各ばね取付部２６を連結する連結部４０が、天板２４の裏側（上）を跨いで設けられている。
これにより、軽量化を図るとともに部品点数を削減して、コストダウンおよび生産性の向上を図ることができる。
【００２７】
また、照明器具１０Ａは、光源取付部として、反射部２３の天板２４におけるＬＥＤユニット３０の回路基板３２に対応する部分を光照射方向に突出させた段部２７を設けた。  このため、ＬＥＤユニット３０が発する熱を器具本体２０の天板２４に伝達する沿面経路が長くなり、放熱性が向上する。
【００２８】
さらに、照明器具１０Ａでは、ＬＥＤユニット３０を取り付ける段部２７の板厚Ｔ１が、他の箇所の板厚、すなわち鍔部２２の板厚Ｔ２や反射部２３の板厚Ｔ３や天板２４の板厚Ｔ４等よりも薄く形成されているので、放熱性が向上する。
【００２９】
（第２実施形態）
次に、第２実施形態の照明器具を説明する。
なお、前述した第１実施形態の照明器具１０Ａと共通する部位には同じ符号を付して、重複する説明を省略することとする。
図４および図５に示すように、第２実施形態の照明器具１０Ｂでは、前述した第１実施形態の照明器具１０Ａにおける連結部４０の上に、電源部６０を取り付けた。
【００３０】
電源部６０は、商用電源から電力の供給を受けて、ＬＥＤユニット３０に点灯電力を供給するものであり、電源ボックス６１、端子台６２および端子台カバー６３を有する。
図５に示すように、連結部４０の連結板４２は、連結部４０の長手方向に直交する方向に延長されて、電源ボックス６１の底板６１１を形成する。底板６１１の連結部４０の長手方向に沿った両側は、上方に折曲げられて一対の側壁６１２が設けられている。
【００３１】
連結板４２および底板６１１は、蓋部６４によって上方を覆われる。
蓋部６４は、金属板材により形成されており、一対の側壁６１２の前側（器具本体２０側）に設けられた両側板６４１、両側板６４１の前側に設けられた前板６４２、蓋部６４の後端に設けられた後板６４３および上板６４４を有する。
後板６４３の外側面には、端子台６２および端子台カバー６３が取り付けられる（図４参照）。
【００３２】
照明器具１０Ｂの作用効果について説明する。
照明器具１０Ｂでは、連結部４０の上に電源部６０を固定した。
このため、電源部６０の放熱性が向上し、電源部６０が発する熱がＬＥＤユニット３０に与える影響を小さくすることができる。
【００３３】
また、照明器具１０Ｂでは、連結部４０は、電源部６０を収容する電源ボックス６１の底板６１１の一部である。
このため、連結部４０と電源ボックス６１の底板６１１を共通にすることにより、軽量化を図るとともに部品点数を削減して、コストダウンおよび生産性の向上を図ることができる。
【００３４】
（第３実施形態）
次に、第３実施形態の照明器具を説明する。
なお、前述した第１実施形態の照明器具１０Ａおよび第２実施形態の照明器具１０Ｂと共通する部位には同じ符号を付して、重複する説明を省略することとする。
図６および図７に示すように、第３実施形態の照明器具１０Ｃでは、前述した第１実施形態の照明器具１０Ａ（ここでは、「灯具７０」で示す。）と、第２実施形態の照明器具１０Ｂで連結部４０の上に設けた電源部６０を別体で設けた。
すなわち、灯具７０の連結板４２に電線引出口４４を設け、灯具７０と電源部６０を、電線６５で接続した。
なお、電源ボックス６１の下側に設置台６６を設けて、任意の場所に載置可能とした。
【００３５】
照明器具１０Ｃの作用効果について説明する。
照明器具１０Ｃでは、電源部６０を灯具７０と別体で設けて、電線６５で接続したので、灯具７０の収容部が狭い場所にも、容易に設置することができる。
【００３６】
（第４実施形態）
次に、第４実施形態の照明器具を説明する。
なお、前述した第１実施形態の照明器具１０Ａないし第３実施形態の照明器具１０Ｃと共通する部位には同じ符号を付して、重複する説明を省略することとする。
図８および図９に示すように、第４実施形態の照明器具１０Ｄでは、各ばね取付部２６を連結する連結部４０が、反射部２３の外側において、全周にわたって設けられて筒体２５を形成している。また、筒体２５の上端には、円形の連結板４２が設けられている。
なお、ここでは、連結板４２の上に、電源部６０が取り付けられているが、第３実施形態の照明器具１０Ｃと同様に、電源部６０を別体で設けて電線６５で接続することもできる。
また、ばね取付部２６が２個以上設けられている場合が示されているが、前述した各実施形態と同様に、２個設けることもできる。あるいは、３個以上設けることもできる。
【００３７】
照明器具１０Ｄの作用効果について説明する。
照明器具１０Ｄでは、ばね取付部２６を連結する連結部４０を、全周にわたって設けて筒体２５を形成したので、連結部４０の強度が増す。
また、取付ばね５０の個数が制限されないので、２個以上の取付ばね５０を設けることができる。
【００３８】
（第５実施形態）
次に、第５実施形態の照明器具を説明する。
なお、前述した第１実施形態の照明器具１０Ａないし第４実施形態の照明器具１０Ｄと共通する部位には同じ符号を付して、重複する説明を省略することとする。
図１０および図１１に示すように、第５実施形態の照明器具１０Ｅでは、器具本体２０に凹部を設けた。
器具本体２０の反射部２３は、円錐台形状をしている。反射部２３の内面である反射面２３１および外面２３２の母線は直線となっており、外面２３２に凹部２３３を設けるとともに、鍔部２２に凹部２２Ａを設けた。なお、反射部２３の反射面２３１や、筒部２１の内外面にも凹部を設けることもできる。
【００３９】
反射部２３に設けた凹部２３３は、断面形状がＶ字形状の溝であり、外面２３２に複数個の円を平行（同心円状）に設けたり、螺旋形状に設けることができる。なお、凹部２３３の断面形状を、半円形状や矩形状とすることもできる。
反射部２３と筒部２１との屈折部と、最も上側の凹部２３３との間の距離をＬ１とし、反射部２３と鍔部２２との屈折部と、最も下側の凹部２３３との間の距離をＬ２とする。距離Ｌ１は、距離Ｌ２よりも小さくかつ１ｍｍ以上に設定される（すなわち、１ｍｍ＜Ｌ１＜Ｌ２）。
【００４０】
また、凹部２３３の深さＤ１は、反射部２３の下部で深く、上部に向かうに伴って浅くなるように設定される。
これにより、反射部２３、鍔部２２、筒部２１等の表面積を増加させて、放熱性を向上させることができる。
【００４１】
また、鍔部２２に設けた凹部２２Ａは、ここでは、矩形断面の凹みである。凹部２２Ａは、照明器具１０Ｅを天井１１に取り付けた際に、鍔部２２と天井１１との間に設けるクッション材１３との間に隙間２２２を形成する。
これにより、鍔部２２の上面にも開放面を有するので、放熱性を向上させることができる。
【００４２】
（第６実施形態）
次に、第６実施形態の照明器具を説明する。
なお、前述した第１実施形態の照明器具１０Ａないし第５実施形態の照明器具１０Ｅと共通する部位には同じ符号を付して、重複する説明を省略することとする。
図１２に示すように、第６実施形態の照明器具１０Ｆは、天井１１に設けられている取付孔１２に取り付けられて下方を照明する。
【００４３】
照明器具１０Ｆは、器具本体２０を有しており、器具本体２０の中央部には、内部ヒートシンク２８が設けられている。内部ヒートシンク２８の下面には、ＬＥＤユニット３０を有する。ＬＥＤユニット３０は、ＬＥＤチップ３１およびＬＥＤチップ３１を実装した回路基板３２を有する。回路基板３２の前方（下方）には、レンズ３４が設けられている。
ＬＥＤユニット３０およびレンズ３４の前方（下方）には、内面に反射面２３１を有する反射部２３が設けられている。
【００４４】
内部ヒートシンク２８の上側には、ＬＥＤチップ３１の点灯制御を行う電源部６０が設けられている。
器具本体２０の外側には、器具本体２０を取付孔１２に取り付けるための取付ばね５０およびＬＥＤチップ３１が発する熱を外部に放出する放熱フィン２９が設けられている。
また、器具本体２０の上側には、蓋部６７が設けられている。
【００４５】
図１３に示すように、反射部２３は、全体円錐台形状をしており、下端部にはリング板状の鍔部２２を有する。また、反射部２３の上端部には、水平な取付面２３４を有する。
反射部２３の外面２３２には、凹部２３３が設けられている。凹部２３３は、断面形状がＶ字形状の溝であり、複数個の円を平行（同心円状）に設けたり、螺旋形状に設けることができる。なお、凹部２３３の断面形状を、半円形状や矩形状とすることもできる。
これにより、反射部２３の表面積を増加させて、放熱性を向上させることができる。
【００４６】
（第７実施形態）
次に、第７実施形態の照明器具を説明する。
なお、前述した第１実施形態の照明器具１０Ａないし第６実施形態の照明器具１０Ｆと共通する部位には同じ符号を付して、重複する説明を省略することとする。
図１４に示すように、第７実施形態の照明器具１０Ｇでは、反射部２３の外面２３２に、母線に沿って上下方向に凹部２３５が設けられている。凹部２３５の断面形状は、例えば、Ｖ字形状や矩形、半円形状等とすることができる。また、凹部２３５を、母線に対して斜めに設けることもできる。
これにより、反射部２３の表面積を増加させて、放熱性を向上させることができる。
【００４７】
（第８実施形態）
次に、第８実施形態の照明器具を説明する。
なお、前述した第１実施形態の照明器具１０Ａないし第７実施形態の照明器具１０Ｇと共通する部位には同じ符号を付して、重複する説明を省略することとする。
図１５に示すように、第８実施形態の照明器具１０Ｈでは、反射部２３の外面２３２に、凹部２３６が設けられている。凹部２３６の断面形状は、例えば、半球形状であり、格子状あるいは千鳥に配置することができる。なお、図示はしないが、ショットブラストにより表面に凹凸を設けることもできる。
これにより、反射部２３の表面積を増加させて、放熱性を向上させることができる。
【００４８】
本発明の照明器具は、前述した実施形態に限定されるものでなく、適宜な変形、改良等が可能である。
【符号の説明】
【００４９】
１０Ａ、１０Ｂ、１０Ｃ、１０Ｄ、１０Ｅ、１０Ｆ、１０Ｇ、１０Ｈ  照明器具
１１  天井（被取付部）
２０  器具本体
２２  鍔部
２３  反射部
２３１  反射面
２４  天板（光源取付部）
２６  ばね取付部
２７  段部
３０  ＬＥＤユニット（光源）
３２  回路基板（ＬＥＤ基板）
４０  連結部
６０  電源部
６１  電源ボックス
６１１  底板
６５  電線
Ｔ１  段部の板厚
【図１】
2015072882.tif 000003
【図２】
2015072882.tif 000004
【図３】
2015072882.tif 000005
【図４】
2015072882.tif 000006
【図５】
2015072882.tif 000007
【図６】
2015072882.tif 000008
【図７】
2015072882.tif 000009
【図８】
2015072882.tif 000010
【図９】
2015072882.tif 000011
【図１０】
2015072882.tif 000012
【図１１】
2015072882.tif 000013
【図１２】
2015072882.tif 000014
【図１３】
2015072882.tif 000015
【図１４】
2015072882.tif 000016
【図１５】
2015072882.tif 000017
【図１６】
2015072882.tif 000018